(57)【要約】【課題】シェフが着用するコックコートにおいて、ファッション的に違和感がなく、且つ既存のコックコートに何らの処置も施すことなく装着できる新規な汚れ防止用の前掛けを提供する。【解決手段】左右の前身頃２１，２２が重ね合わせで、左右対称にボタン（止着用ボタン２４と飾りボタン２５）が配置されているコックコート２に装着される適宜な布地で形成された前掛け１であって、前記ボタン２４，２５位置と対応する位置に前記ボタンを留めることができる所定のボタン孔を設けてなると共に、幅を左右前身頃の重ね合わせ幅（右端縁２３と縫合縁２６の幅）に対応させてなる。【選択図】図３
0003131097.tif 000002
【実用新案登録請求の範囲】
【請求項１】
左右の前身頃が重ね合わせで、左右対称にボタンが配置されているコックコートに装着される適宜布地で形成されたものであって、前記ボタン位置と対応する位置に前記ボタンをとめることができる所定のボタン孔を設けてなると共に、幅を左右前身頃の重ね合わせ幅に対応させてなることを特徴とするコックコートの汚れ防止用前掛け。
【請求項２】
ボタン孔を縦長に形成してなる請求項１記載のコックコートの汚れ防止用前掛け。
【請求項３】
生地がコックコートと同一色である請求項１又は２記載のコックコートの汚れ防止用前掛け。
【請求項４】
生地及びコックコートが白色である請求項３記載のコックコートの汚れ防止用前掛け。
【請求項５】
生地がコックコートの生地と同一である請求項３記載のコックコートの汚れ防止用前掛け。
【請求項６】
生地がコックコートの生地より薄いものとした請求項１乃至４記載の何れかのコックコートの汚れ防止用前掛け。
【考案の詳細な説明】
【技術分野】
【０００１】
本考案は、コックコート専用の汚れ防止用前掛けに関するものである。
【背景技術】
【０００２】
シェフの作業着としてのコックコートの最も一般的な形態は、厚手の木綿布（ポリエステル混紡も含む）で襟形状が詰襟で前身頃部分がダブルとなっており、左右対称にボタン（一方が飾りボタン）が配置され、薄いグレーや茶色も市販されているが、白衣が多用されている。
【０００３】
シェフは、前記コックコートを着用して調理作業を行なうものであるが、調理中の油やソースの跳ね等による汚れ防止のためにエプロンを身に着ける。このエプロンは通常腰から下側を覆うもので、エプロンに覆われた個所は、汚れが防止されるが、エプロン装着個所の上方のコックコート前身頃部分は、調理中の油やソースの跳ね等の他に、大きいフライパンを支持するためにフライパンの柄端を身体側に強く押し付けたりするので、相応に汚れてしまう。
【０００４】
またシェフ以外の作業者の汚れ防止の前掛けとして、特許文献１（特開２００２−１５５４０７号公報）に開示されているように調理人が使用することを目的とした腹巻や、特許文献２（実開平５−８１２１０号公報）及び特許文献３（登録実用新案３０７９６６１号公報）に開示されているように、作業衣に粘着部（特許文献２）や絡着部（面ファスナー：特許文献２）を予め形成しておき、当該個所にカバー部材（エプロン）を着脱自在に装着するものが知られている。
【０００５】
【特許文献１】特開２００２−１５５４０７号公報。
【特許文献２】実開平５−８１２１０号公報。
【特許文献３】登録実用新案３０７９６６１号公報。
【考案の開示】
【考案が解決しようとする課題】
【０００６】
特許文献１記載の腹巻は、作業衣の最も汚れ易い特定の個所のカバーとなり、且つ着脱も容易であるが、ファッション的に和食調理人にはマッチするが洋食調理人のシェフには全く似合わない。
【０００７】
また特許文献２，３記載の手段は、カバー部材（エプロン）の形状を任意に定めることが出来るので、美感上の問題は容易に解決されるが、作業服側に改めて粘着部や絡着部を形成する必要があり、既存の作業服にあっては、わざわざ粘着部や絡着部を縫着する煩雑さがある。
【０００８】
また一旦粘着部や絡着部を縫着してしまうと、カバー部材（エプロン）を装着しない作業服で作業を行った場合には、粘着部や絡着部に他の部材（ゴミ等）が付着するので、必ずカバー部材を装着した状態で着用して作業を行なわなければならない不便さがある。
【０００９】
そこで本考案は、特にシェフが着用するコックコートにおいて、ファッション的に違和感がなく、且つ既存のコックコートに何らの処置も施すことなく装着できる新規な汚れ防止用前掛けを提案したものである。
【課題を解決するための手段】
【００１０】
本考案に係るコックコートの汚れ防止用前掛けは、左右の前身頃が重ね合わせで、左右対称にボタンが配置されているコックコートに装着される適宜布地で形成されたものであって、前記ボタン位置と対応する位置に前記ボタンを留めることができる所定のボタン孔を設けてなると共に、幅を左右前身頃の重ね合わせ幅に対応させてなることを特徴とするものである。
【００１１】
従って前記前掛けは、既存のコックコートの前身頃のボタンに装着するので、既存のコックコートに何らの処置を施すことなく、しかもコックコートのデザインとマッチする態様で装着されるもので、コックコートの汚れを防止し、当該前掛けが汚れると、前掛けのみを取り替えることで、いつも清浄で且つ自然な服装で調理が出来るものである。
【００１２】
また本考案（請求項２）に係るコックコートの汚れ防止用前掛けは、特にボタン孔を縦長に形成してなるもので、ボタンの上下位置が僅かに異なるコックコートに対しても同一の前掛けを使用できる。
【００１３】
また本考案（請求項３，４，５）に係るコックコートの汚れ防止用前掛けは、生地がコックコートと同一色（例えば白色）や同一の生地としたもので、前掛けがコックコートの一部と化し、前掛けが全く目立たなくなる。
【００１４】
更に本考案（請求項６）に係るコックコートの汚れ防止用前掛けは、特に生地がコックコートの生地より薄いものとしたもので、厚手のコックコート生地を採用した場合に比較して、ボタン装着が容易である。
【考案の効果】
【００１５】
本考案は上記構成であるので、シェフが着用するコックコートにおいて、既存のコックコートに何らの処置も施すことなく、汚れ防止用前掛けを装着でき、しかも前掛けがコックコートと一体化した形態となり、前掛けが目立つことなくファッション的にも優れたものとなる。
【考案を実施するための最良の形態】
【００１６】
次に本考案の実施の形態について説明する。実施形態に示した汚れ防止用前掛け１の使用対象となるコックコート２は、図面で例示したとおり左右の前身頃２１，２２が重ね合わせとなっている所謂ダブルコートで、男性用コックコートの場合には、左前身頃２１の右端縁２３に添ってボタン孔が形成され、右前身頃２２に縫着した止着用ボタン２４に掛け止めして纏うもので、左前身頃２１における前記止着用ボタン２４と対応する位置に飾りボタン２５を縫着してなり、更に右端縁と対応する位置で縫合縁２６が表出するように形成しているものである。
【００１７】
前掛け１は、前記コックコート２と同一の生地（同一色：充分な耐熱性を備える）で形成したもので、幅は、コックコート２の左身頃の右端縁２３と縫合縁２６の幅と一致させ、長さ（装着時の高さ）は、図１に例示したように前身頃と対応させた長さ、或いは図３に例示したとおり、腹部と対応する長さとし、ボタン２４，２５と対応する位置に、縦長のボタン孔１１を設けたものである。尚図示するとおり基準とするボタン（最上位置又は最下位置）に対応する部分は、横長のボタン孔であっても良い。
【００１８】
而してコックコート２を身にまとうと同時に、前記前掛け１を前身頃のボタン２４，２５に装着し、調理作業に従事するもので、調理作業時の油やソースの跳ね等による作業衣への付着は、前記の前掛け１部分となり、コックコートへの汚れの付着を極力抑えることが出来るもので、前掛け１が汚れると、前掛け１のみを取り替えることでいつでも清浄な服装での調理作業ができるものである。
【００１９】
しかも前記実施形態のようにコックコート２と前掛け１とが同一素材で形成されている場合には、前掛け１の装着が目立たず、外観上全くの違和感無く、コックコートのままで作業しているように見られる利点がある。
【００２０】
勿論本考案は、前記実施形態に限定されるものではなく、例えばデザイン上着色ボタンを採用している場合には、当該着色ボタンに合わせた色彩の前掛けを使用しても、当該前掛け自体がコックコートの一部と化しているので、新しいデザインのコックコートと見ることが出来るし、また素材についてもコックコート２が一般に厚手の生地を採用しているので、薄手の生地の前掛けとしても良く、薄手の生地を採用した場合には、その取り扱い（ボタン掛け）が容易になる利点がある。勿論、充分な耐熱性を有することが必要であることは言うまでもない。
【図面の簡単な説明】
【００２１】
【図１】本考案の実施形態の説明図（前掛け装着前）。
【図２】同図（前掛け装着後）。
【図３】同別例図。
【符号の説明】
【００２２】
１        前掛け
１１      ボタン孔
２        コックコート
２１      左前身頃
２２      右前身頃
２３      右端縁（左前身頃）
２４      止着用ボタン
２５      飾りボタン
２６      縫合縁
【図１】
0003131097.tif 000003
【図２】
0003131097.tif 000004
【図３】
0003131097.tif 000005